(57)【特許請求の範囲】
【請求項１】
ワイヤレスネットワーク中でアクセス端末の電力消費を制御するための方法であって、
スロッテッドアイドルモードの覚醒状態に入ることと、
先の覚醒状態における第１のセルからのパイロット信号の信号特性の決定に応答して、前記第１のセルから前記パイロット信号を取得するための再取得時間を調整することと、ここで、前記信号特性は、前記先の覚醒状態の間に決定されたＥｃ／Ｉｏ値を備え、ここで、Ｅｃはパイロット電力であり、Ｉｏは総電力である、
前記パイロット信号を取得することと、
を備える、方法。
【請求項２】
前記再取得時間を前記調整することは、前記先の覚醒状態で決定された前記信号特性に従って前記再取得時間を増加させることを備える、
請求項１に記載の方法。
【請求項３】
前記信号特性は、前記アクセス端末の受信機における複数のフィンガにおける信号強度、総電力、パイロット電力、前記パイロット信号を受信するために割り当てられた前記フィンガの数、またはそれらの組み合わせ、のうちの少なくとも１つ以上に対応し、
前記再取得時間を前記調整することは、前記信号特性の値が所定のしきい値を下回る場合、前記再取得時間を増加させることを備える、
請求項１に記載の方法。
【請求項４】
前記信号特性は、前記先の覚醒状態の間に決定された、前記第１のセルに対応するパイロット電力対総電力の比を備える、請求項３に記載の方法。
【請求項５】
前記Ｅｃ／Ｉｏ値は、前記アクセス端末の受信機における少なくとも１つのフィンガに対応する値である、請求項１に記載の方法。
【請求項６】
前記Ｅｃ／Ｉｏ値は、前記アクセス端末の受信機における複数のフィンガに対応する値の合計である、請求項１に記載の方法。
【請求項７】
所定のしきい値は、約−１２  ｄＢである、請求項１に記載の方法。
【請求項８】
前記信号特性は、前記パイロット信号の信号強度に対応し、
前記再取得時間を前記調整することは、前記信号強度が所定のしきい値を下回り、および前記アクセス端末が、前記先の覚醒状態において基地局から受信されたインジケーションに従って現在の覚醒状態の間に通信チャネル上でメッセージを受信するように構成される場合、前記再取得時間を増加させることを備える、
請求項１に記載の方法。
【請求項９】
前記通信チャネルは、ページングチャネルであり、前記メッセージは、ページメッセージである、請求項８に記載の方法。
【請求項１０】
前記アクセス端末が、前記現在の覚醒状態の間に前記メッセージを受信するように構成されるか否か決定するために、前記先の覚醒状態の間にクイックページングチャネルを利用することをさらに備える、
請求項８に記載の方法。
【請求項１１】
前記再取得時間は、パイロットチャネル取得時間を備え、
前記再取得時間を前記調整することは、前記信号特性に従って前記パイロットチャネル取得時間を増加させることを備える、
請求項１に記載の方法。
【請求項１２】
ワイヤレスネットワークにおける動作のために構成されたアクセス端末であって、
通信インタフェースと、
記憶媒体と、
前記通信インタフェースおよび前記記憶媒体に動作可能なように結合された処理回路と、を備え、ここで、前記処理回路は、
スロッテッドアイドルモードの覚醒状態に入るようにと、
先の覚醒状態における第１のセルからのパイロット信号の信号特性の決定に応答して、前記第１のセルから前記パイロット信号を取得するための再取得時間を調整するようにと、ここで、前記信号特性は、前記先の覚醒状態の間に決定されたＥｃ／Ｉｏ値を備え、ここで、Ｅｃはパイロット電力であり、Ｉｏは総電力である、
前記パイロット信号を取得するように前記通信インタフェースを動作させるように、構成される、アクセス端末。
【請求項１３】
前記処理回路は、前記先の覚醒状態で決定された前記信号特性に従って前記再取得時間を増加させるように構成される、
請求項１２に記載のアクセス端末。
【請求項１４】
前記信号特性は、前記アクセス端末の受信機における複数のフィンガにおける信号強度、総電力、パイロット電力、前記パイロット信号を受信するために割り当てられた前記フィンガの数、またはそれらの組み合わせ、のうちの少なくとも１つ以上に対応し、
前記処理回路は、前記信号強度が所定のしきい値を下回る場合、前記再取得時間を増加させるように構成される、
請求項１２に記載のアクセス端末。
【請求項１５】
前記信号特性は、前記先の覚醒状態の間に決定された、前記第１のセルに対応するパイロット電力対総電力の比を備える、請求項１４に記載のアクセス端末。
【請求項１６】
前記Ｅｃ／Ｉｏ値は、前記通信インタフェースに含まれる受信機における少なくとも１つのフィンガに対応する値である、請求項１２に記載のアクセス端末。
【請求項１７】
前記Ｅｃ／Ｉｏ値は、前記通信インタフェースに含まれる受信機における複数のフィンガに対応する値の合計である、請求項１２に記載のアクセス端末。
【請求項１８】
所定のしきい値は、約−１２  ｄＢである、請求項１２に記載のアクセス端末。
【請求項１９】
前記信号特性は、前記パイロット信号の信号強度に対応し、
前記処理回路は、前記信号強度が所定のしきい値を下回り、および前記アクセス端末が、前記先の覚醒状態において基地局から受信されたインジケーションに従って現在の覚醒状態の間に通信チャネル上でメッセージを受信するように構成される場合、前記再取得時間を増加させるように構成される、
請求項１２に記載のアクセス端末。
【請求項２０】
前記通信チャネルは、ページングチャネルであり、前記メッセージは、ページメッセージである、請求項１９に記載のアクセス端末。
【請求項２１】
前記処理回路は、前記アクセス端末が、前記現在の覚醒状態の間に前記メッセージを受信するように構成されるか否か決定するために、前記先の覚醒状態の間にクイックページングチャネルを利用するようにさらに構成される、
請求項１９に記載のアクセス端末。
【請求項２２】
前記再取得時間は、パイロットチャネル取得時間を備え、
前記処理回路は、前記信号特性に従って前記パイロットチャネル取得時間を増加させるようにさらに構成される、
請求項１２に記載のアクセス端末。
【請求項２３】
ワイヤレスネットワークにおける動作のために構成されたアクセス端末に、
スロッテッドアイドルモードの覚醒状態に入ることと、
先の覚醒状態における第１のセルからのパイロット信号の信号特性の決定に応答して、前記第１のセルから前記パイロット信号を取得するための再取得時間を調整することと、ここで、前記信号特性は、前記先の覚醒状態の間に決定されたＥｃ／Ｉｏ値を備え、ここで、Ｅｃはパイロット電力であり、Ｉｏは総電力である、
前記パイロット信号を取得することと、
を、させるための命令を備える、コンピュータプログラム。
【請求項２４】
前記アクセス端末は、前記先の覚醒状態で決定された前記信号特性に従って前記再取得時間を増加させるように構成される、
請求項２３に記載のコンピュータプログラム。
【請求項２５】
前記信号特性は、前記アクセス端末の受信機における複数のフィンガにおける信号強度、総電力、パイロット電力、前記パイロット信号を受信するために割り当てられた前記フィンガの数、またはそれらの組み合わせ、のうちの少なくとも１つ以上に対応し、
前記アクセス端末は、前記信号特性の値が所定のしきい値を下回る場合、前記再取得時間を増加させるように構成される、
請求項２３に記載のコンピュータプログラム。
【請求項２６】
前記信号特性は、前記先の覚醒状態の間に決定された、前記第１のセルに対応するパイロット電力対総電力の比を備える、請求項２５に記載のコンピュータプログラム。
【請求項２７】
前記Ｅｃ／Ｉｏ値は、前記アクセス端末の受信機における少なくとも１つのフィンガに対応する値である、請求項２３に記載のコンピュータプログラム。
【請求項２８】
前記Ｅｃ／Ｉｏ値は、前記アクセス端末の受信機における複数のフィンガに対応する値の合計である、請求項２３に記載のコンピュータプログラム。
【請求項２９】
所定のしきい値は、約−１２  ｄＢである、請求項２３に記載のコンピュータプログラム。
【請求項３０】
前記信号特性は、前記パイロット信号の信号強度に対応し、
前記アクセス端末は、前記信号強度が所定のしきい値を下回り、および前記アクセス端末が、前記先の覚醒状態において基地局から受信されたインジケーションに従って現在の覚醒状態の間に通信チャネル上でメッセージを受信するように構成される場合、前記再取得時間を増加させるように構成される、
請求項２３に記載のコンピュータプログラム。
【請求項３１】
前記通信チャネルは、ページングチャネルであり、前記メッセージは、ページメッセージである、請求項３０に記載のコンピュータプログラム。
【請求項３２】
前記アクセス端末は、前記アクセス端末が、前記現在の覚醒状態の間に前記メッセージを受信するように構成されるか否か決定するために、前記先の覚醒状態の間にクイックページングチャネルを利用するようにさらに構成される、
請求項３０に記載のコンピュータプログラム。
【請求項３３】
前記再取得時間は、パイロットチャネル取得時間を備え、
前記アクセス端末は、前記信号特性に従って前記パイロットチャネル取得時間を増加させるようにさらに構成される、
請求項２３に記載のコンピュータプログラム。
【請求項３４】
ワイヤレスネットワークにおける動作のために構成されたアクセス端末あって、
スロッテッドアイドルモードの覚醒状態に入るための手段と、
先の覚醒状態における第１のセルからのパイロット信号の信号特性の決定に応答して、前記第１のセルから前記パイロット信号を取得するための再取得時間を調整するための手段と、ここで、前記信号特性は、前記先の覚醒状態の間に決定されたＥｃ／Ｉｏ値を備え、ここで、Ｅｃはパイロット電力であり、Ｉｏは総電力である、
前記パイロット信号を取得するための手段と、
を備える、アクセス端末。
【請求項３５】
前記再取得時間を前記調整することは、前記信号特性に従って前記再取得時間を増加させることを備える、
請求項３４に記載のアクセス端末。
【請求項３６】
前記信号特性は、前記アクセス端末の受信機における複数のフィンガにおける信号強度、総電力、パイロット電力、前記パイロット信号を受信するために割り当てられた前記フィンガの数、またはそれらの組み合わせ、のうちの少なくとも１つ以上に対応し、
前記再取得時間を前記調整することは、前記信号特性の値が所定のしきい値を下回る場合、前記再取得時間を増加させることを備える、
請求項３４に記載のアクセス端末。
【請求項３７】
前記信号特性は、前記先の覚醒状態の間に決定された、前記第１のセルに対応するパイロット電力対総電力の比を備える、請求項３６に記載のアクセス端末。
【請求項３８】
前記Ｅｃ／Ｉｏ値は、前記アクセス端末の受信機における少なくとも１つのフィンガに対応する値である、請求項３４に記載のアクセス端末。
【請求項３９】
前記Ｅｃ／Ｉｏ値は、前記アクセス端末の受信機における複数のフィンガに対応する値の合計である、請求項３４に記載のアクセス端末。
【請求項４０】
所定のしきい値は、約−１２  ｄＢである、請求項３４に記載のアクセス端末。
【請求項４１】
前記信号特性は、前記パイロット信号の信号強度に対応し、
前記再取得時間を前記調整することは、前記信号強度が所定のしきい値を下回り、および前記アクセス端末が、前記先の覚醒状態において基地局から受信されたインジケーションに従って現在の覚醒状態の間に通信チャネル上でメッセージを受信するように構成される場合、前記再取得時間を増加させることを備える、
請求項３４に記載のアクセス端末。
【請求項４２】
前記通信チャネルは、ページングチャネルであり、前記メッセージは、ページメッセージである、請求項４１に記載のアクセス端末。
【請求項４３】
前記アクセス端末が、前記現在の覚醒状態の間に前記メッセージを受信するように構成されるか否か決定するために、前記先の覚醒状態の間にクイックページングチャネルを利用するための手段をさらに備える、
請求項４１に記載のアクセス端末。
【請求項４４】
前記再取得時間は、パイロットチャネル取得時間を備え、
前記再取得時間を前記調整することは、前記信号特性に従って前記パイロットチャネル取得時間を増加させることを備える、
請求項３４に記載のアクセス端末。
【発明の詳細な説明】
【関連出願の相互参照】
【０００１】
[0001]  本願は、「ＣＤＭＡ １ｘアイドルモードでのページングチャネル受信試みに関する電力消費を軽減するための方法およびデバイス」と題された、２０１２年６月１１日に米国特許庁に出願された仮特許出願番号第６１／６５８,３７３号の利益、およびその優先権を主張し、その全体の内容が、全ての適応可能な目的のために、そして以下にその全体が完全に説明されるかのように、参照によりここに組み込まれる。
【技術分野】
【０００２】
[0002]  本特許出願で説明された技術は、一般にワイヤレス通信に関し、より具体的には、スロッテッドモード（slotted mode）通信プロトコルで電力消費を軽減するための方法およびデバイスに関する。いくつかの実施形態は、ＣＤＭＡスロッテッドモードで利用されることができる。
【背景技術】
【０００３】
[0003]  ワイヤレス通信システムは、例えば、音声、ビデオ、パケットデータ、メッセージング、ブロードキャスト等のような、様々なタイプの通信コンテンツを提供するために広く展開されている。これらのシステムは、ワイヤレス通信を容易にするように適合される様々なタイプのアクセス端末によってアクセスされ得、この場合、複数のアクセス端末が、利用可能なシステムリソース（例えば、時間、周波数、および電力）を共有する。そのようなワイヤレス通信システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
[0004]  モビリティを提供するため、アクセス端末は、典型的にモバイルデバイス（例えば、スマートフォン、音声／データ対応モバイルデバイス等）である。しかしながら、そのようなモバイルアクセス端末は、典型的にバッテリ駆動式（battery-powered）であり、充電の合間にバッテリが提供できる電力の量は通常限られている。それゆえ、再充電の合間にアクセス端末のバッテリ駆動動作寿命（battery-powered operating life）の延長を支援し得る特徴が、有益である。
【発明の概要】
【０００５】
[0005]  以下は、そのような態様の基本的な理解を提供するために、本開示の１つ以上の態様の簡略化された概要を提示する。この概要は、本開示の全ての考慮された特徴の広範な概観ではなく、本開示の全ての態様のキーまたは重要なエレメントを特定することも、本開示の任意のまたは全ての態様の範囲を叙述することも意図していない。その唯一の目的は、後に提示されるより詳細な説明への序文として、簡略化された形で本開示の１つ以上の態様のいくつかの概念を提示することである。
【０００６】
[0006]  本開示の多様な特徴および態様は、スロッテッドアイドルモードをサポートしている通信プロトコルのようなチャネルを再取得（reacquire）する際に、電力節約を容易にするように適合される。例えば、再取得時間は、前の（または直近の）ウェイクアップサイクル（wake-up cycle）の間に記録されたパイロット信号品質がある特定のしきい値を下回り、そしてもし移動局が現在のウェイクアップサイクルの間にページングチャネル上でページメッセージを受信しようとしている場合、増加し得る。
【０００７】
[0007]  本開示の１つの態様によると、ワイヤレスネットワークにおいてアクセス端末の電力消費を制御するための方法が提供される。この方法は、スロッテッドアイドルモードの覚醒状態（awake state）に入ること、先の覚醒状態における第１のセルからのパイロット信号の信号特性の決定に応答して、第１のセルからパイロット信号を取得するための再取得時間を調整すること、およびパイロット信号を取得すること、またはそれらの何らかの組み合わせを含む。
【０００８】
[0008]  本開示の別の態様によると、ワイヤレスネットワークにおける動作のために構成されたアクセス端末が提供される。このアクセス端末は、通信インタフェース、記憶媒体、ならびに通信インタフェースおよび記憶媒体に動作可能なように結合された処理回路を含む。この処理回路は、スロッテッドアイドルモードの覚醒状態に入るようにと、先の覚醒状態における第１のセルからのパイロット信号の信号特性の決定に応答して、第１のセルからパイロット信号を取得するための再取得時間を調整するようにと、およびパイロット信号を取得するように通信インタフェースを動作させるように、構成される。
【０００９】
[0009]  本開示の別の態様によると、コンピュータプログラム製品が提供される。このコンピュータプログラム製品は、命令を含むコンピュータ読み取り可能な記憶媒体を含む。この命令は、ワイヤレスネットワークのアクセス端末に、スロッテッドアイドルモードの覚醒状態に入らせ、先の覚醒状態における第１のセルからのパイロット信号の信号特性の決定に応答して、第１のセルからパイロット信号を取得するための再取得時間を調整させ、およびパイロット信号を取得させる。
【００１０】
[0010]  本開示の別の態様によると、ワイヤレスネットワークのアクセス端末が提供される。このアクセス端末は、スロッテッドアイドルモードの覚醒状態に入るための手段と、先の覚醒状態における第１のセルからのパイロット信号の信号特性の決定に応答して、第１のセルからパイロット信号を取得するための再取得時間を調整するための手段と、およびパイロット信号を取得するための手段を含む。
【００１１】
[0011]  本発明の他の態様、特徴、および実施形態は、添付の図面と併せて、本発明の具体的な、例となる実施形態の以下の説明を精査すれば、当業者に明白であるだろう。本発明の特徴は、以下で、ある特定の実施形態および図面に関連して説明され得るが、本発明の全ての実施形態は、本明細書で説明される有益な特徴の１つ以上を含むことができる。言い換えれば、１つ以上の実施形態は、ある特定の有益な特徴を有するように説明され得るが、そのような特徴の１つ以上はまた、本明細書で説明される発明の様々な実施形態に従って使用され得る。同様に、例となる実施形態は、デバイス、システムまたは方法の実施形態として以下で説明され得るが、そのような例となる実施形態は、様々なデバイス、システム、および方法で実現されることができることが、理解されるべきである。
【図面の簡単な説明】
【００１２】
【図１】[0012]  図１は、いくつかの実施形態に従って、本開示の１つ以上の態様がアプリケーションを見つけ出し（find）得るネットワーク環境の例を例示するブロック図である。
【図２】[0013]  図２は、いくつかの実施形態に従って、アクセス端末によって実現され得るプロトコルスタックアーキテクチャの例を例示するブロック図である。
【図３】[0014]  図３は、いくつかの実施形態に従って、少なくとも１つの例に従ってアクセス端末の選択コンポーネントを例示するブロック図である。
【図４】[0015]  図４は、いくつかの実施形態に従って、１つの例に従ってレイク受信機を例示するブロック図である。
【図５】[0016]  図５は、いくつかの実施形態に従って、スロッテッドアイドルモードでページングチャネル（ＰＣＨ）をモニタする際にアクセス端末によって実行されるいくつかの動作の少なくとも１つの例を例示するタイミング図である。
【図６】[0017]  図６は、いくつかの実施形態に従って、少なくとも１つの例に従ってアクセス端末上で動作できる方法を例示する流れ図である。
【詳細な説明】
【００１３】
[0018]  添付の図面に関連して以下に記載される説明は、様々な構成のある１つの説明を意図するものであり、本明細書で説明される特徴および概念が実行され得る唯一の構成を表すように意図されてはいない。続く説明は、様々な概念の十分な理解を提供するために、具体的な詳細を含む。しかしながら、これらの概念が、これらの具体的な詳細なしに実行され得ることは、当業者には明らかであるだろう。いくつかの例では、周知の回路、構造、技法およびコンポーネントが、説明される概念および特徴をあいまいにするのを避けるために、ブロック図の形で示される。
【００１４】
[0019]  本開示の全体に提示された様々な概念は、広範な種類のワイヤレス通信システム、ネットワークアーキテクチャ、および通信基準にわたって実現され得る。この説明のある特定の態様は、ＣＤＭＡおよび第３世代パートナーシッププロジェクト２ （３ＧＰＰ２） １ｘプロトコルおよびシステムに関して以下に説明され、関連する用語が以下の説明の大部分に見つけられ得る。しかしながら、当業者は、本開示の１つ以上の態様が、１つ以上の他のワイヤレス通信プロトコルおよびシステムで用いられ得る、およびそれらに含まれ得ることを、認識するだろう。
【００１５】
[0020]  図１は、本開示の１つ以上の態様がアプリケーションを見つけ出し得るネットワーク環境の例を例示するブロック図である。ワイヤレス通信システム１００は、一般に、公衆交換電話網（public switched telephone network：ＰＳＴＮ）へ（例えば、モバイル交換局（mobile switching center）／ビジタロケーションレジスタ（visitor location register：ＭＳＣ／ＶＬＲ）を介して）、および／またはＩＰネットワークへ（例えば、パケットデータ交換ノード（ＰＤＳＮ）を介して）アクセスを提供する、コアネットワーク１０８、１つ以上の基地局コントローラ（ＢＳＣ）１０６、１つ以上のアクセス端末１０４、および１つ以上の基地局１０２を含む。システム１００は、多重搬送波（multiple carriers）（異なる周波数から成る波形信号）上の動作をサポートし得る。マルチ搬送波送信機（Multi-carrier transmitter）は、多重搬送波上で、同時に（simultaneously）または並行して（concurrently）、変調された信号を送信することができる。各変調された信号は、ＣＤＭＡ信号、ＴＤＭＡ信号、ＯＦＤＭＡ信号、単一搬送波周波数分割多元接続（ＳＣ−ＦＤＭＡ）信号等であり得る。各変調された信号は、異なる搬送波で送られ得、制御情報（例えば、パイロット信号）、オーバヘッド情報、データ等を運び得る。
【００１６】
[0021]  基地局１０２は、基地局アンテナを介してアクセス端末１０４とワイヤレスで通信することができる。基地局１０２はそれぞれ、一般にワイヤレス通信システム１００への（１つ以上のアクセス端末１０４に関する）ワイヤレス接続性（wireless connectivity）を容易にするように適合されるデバイスとして、実現され得る。基地局１０２はまた、当業者によって、アクセスポイント、基地局（base transceiver station：ＢＴＳ）、無線基地局（radio base station）、無線トランシーバ、トランシーバ機能（transceiver function）、基本サービスセット（ＢＳＳ）、拡張サービスセット（ＥＳＳ）、ノードＢ、フェムトセル、ピコセル、および／または何らかの他の適切な用語でも呼ばれ得る。
【００１７】
[0022]  基地局１０２は、一般に、１つ以上の搬送波を介して基地局コントローラ１０６の制御の下でアクセス端末１０４と通信するように構成される。基地局１０２の各々は、それぞれの地理的エリアのための通信カバレッジを提供することができる。ここでの各基地局１０２のカバレッジエリア１１０は、セル１１０‐ａ、１１０‐ｂ、または１１０‐ｃと特定される。基地局１０２のカバレッジエリア１１０は、セクタ（図示されないが、カバレッジエリアのごく一部を占める）へ分割され得る。セクタに分割されたカバレッジエリア１１０において、カバレッジエリア１１０内の複数のセクタは、セルの一部内で１つ以上のアクセス端末１０４との通信に関与する各アンテナを有するアンテナのグループによって形成されることができる。
【００１８】
[0023]  １つ以上のアクセス端末１０４は、カバレッジエリア１１０の至る所に散在し得、それぞれの基地局１０２に関連する１つ以上のセクタとワイヤレスで通信し得る。アクセス端末１０４は、一般に、ワイヤレス信号を通じて１つ以上の他のデバイスと通信する１つ以上のデバイスを含み得る。そのようなアクセス端末１０４は、当業者によって、ユーザ端末（ＵＥ）、移動局（ＭＳ）、加入者端末、モバイルユニット、加入者ユニット、ワイヤレスユニット、リモートユニット、モバイルデバイス、ワイヤレスデバイス、ワイヤレス通信デバイス、リモートデバイス、モバイル加入者局、モバイル端末、ワイヤレス端末、リモート端末、ハンドセット、端末、ユーザエージェント、モバイルクライアント、クライアント、または何らかの他の適切な用語でも呼ばれ得る。アクセス端末１０４は、モバイル端末および／または少なくとも実質上の固定端末を含み得る。アクセス端末１０４の例は、モバイルフォン、ページャ、ワイヤレスモデム、パーソナルデジタルアシスタント、パーソナルインフォメーションマネジャ（ＰＩＭｓ）、パーソナルメディアプレイヤ、パームトップコンピュータ、ラップトップコンピュータ、タブレットコンピュータ、テレビ、電化製品（appliance）、電子ブックリーダ（e-reader）、デジタルビデオレコーダ（ＤＶＲｓ）、マシンツーマシン（machine-to-machine：Ｍ２Ｍ）デバイス、エンターテイメントデバイス、および／または、少なくとも部分的にワイヤレスまたはセルラネットワークを通じて通信する他の通信／コンピューティングデバイスを含む。
【００１９】
[0024]  アクセス端末１０４は、ワイヤレス通信システム１００（例えば、基地局１０２）の１つ以上のネットワークノードとアクセス端末１０４の間でデータを通信するためのプロトコルスタックアーキテクチャを用いるように適合され得る。プロトコルスタックは一般に、レイヤがそれらの数字表示（numeric designation）順に表されている通信プロトコルに関するレイヤードアーキテクチャ（layered architecture）の概念モデルを含み、この場合、転送されたデータは、実質的に各レイヤによって、それらの表示順に処理される。グラフを用いて、「スタック（stack）」は、ベースにある最も低い数字表示を有するレイヤを用いて典型的に垂直に示される。図２は、アクセス端末１０４によって実現され得るプロトコルスタックアーキテクチャの例を例示するブロック図である。図１及び図２を参照すると、アクセス端末１０４のためのプロトコルスタックアーキテクチャは、一般に３つのレイヤ：レイヤ１（Ｌ１）、レイヤ２（Ｌ２）、およびレイヤ３（Ｌ３）を含むよう示される。
【００２０】
[0025]  レイヤ１ ２０２は、最下層のレイヤであり、様々な物理レイヤ信号処理機能を実現する。レイヤ１ ２０２は、本明細書で物理レイヤ２０２とも呼ばれる。この物理レイヤ２０２は、アクセス端末１０４および基地局１０２間の無線信号の送信と受信を提供する。
【００２１】
[0026]  レイヤ２（または「Ｌ２レイヤ」）２０４と呼ばれるデータリンクレイヤは、上述の物理レイヤ２０２であり、レイヤ３により生成されたシグナリングメッセージの配信（delivery）に関与する。Ｌ２レイヤ２０４は、物理レイヤ２０２によって提供されたサービスを利用する。Ｌ２レイヤ２０４は、２つのサブレイヤ：媒体アクセス制御（ＭＡＣ）サブレイヤ２０６、リンクアクセス制御（ＬＡＣ）サブレイヤ２０８を含み得る。
【００２２】
[0027]  ＭＡＣサブレイヤ２０６は、Ｌ２レイヤ２０４の下層サブレイヤ（lower sublayer）である。ＭＡＣサブレイヤ２０６は、媒体アクセスプロトコルを実現し、物理レイヤ２０２によって提供されるサービスを使用して、上位レイヤのプロトコルデータユニットのトランスポートに関与する。ＭＡＣサブレイヤ２０６は、上位レイヤから共有のエアインタフェースへのデータのアクセスを管理し得る。
【００２３】
[0028]  ＬＡＣサブレイヤ２０８は、Ｌ２レイヤ２０４の上層サブレイヤ（upper sublayer）である。ＬＡＣサブレイヤ２０８は、レイヤ３で生成されるシグナリングメッセージの、正しいトランスポートおよび配信を提供するデータリンクプロトコルを実現する。ＬＡＣサブレイヤは、下層レイヤ（例えば、レイヤ１およびＭＡＣサブレイヤによって提供されるサービスを利用する。
【００２４】
[0029]  レイヤ３ ２１０は、上層レイヤまたはＬ３レイヤとも呼ばれ得、基地局１０２およびアクセス端末１０４間の通信プロトコルのタイミング（timing）およびセマンティクス（semantics）に従ってメッセージのシグナリングを始める（originates）または終了する（terminates）。Ｌ３レイヤ２１０は、Ｌ２レイヤによって提供されるサービスを利用する。情報（データおよび音声の両方）メッセージはまた、Ｌ３レイヤ２１０も通過する。
【００２５】
[0030]  アクセス端末１０４がシステム１００内で動作する際、アクセス端末１０４は、アイドル状態およびシステムアクセス状態を含む、動作の様々な状態のいずれでも動作し得る。システムアクセス状態では、アクセス端末１０４は、１つ以上の基地局（例えば、図１の基地局１０２）と、データ（例えば、音声またはデータ呼出し、あるいはセッション）をアクティブに交換し得る。アイドル状態では、アクセス端末１０４は、シグナリングデータを運ぶための放送制御チャネル（Ｆ‐ＢＣＣＨ）および共通制御チャネル（Ｆ−ＣＣＣＨ）、ページングメッセージのようなオーバヘッドデータおよびシステムを運ぶためのページングチャネル（Ｆ−ＰＣＨ）、および／または次のスロットでＦ−ＣＣＣＨまたはＦ−ＰＣＨを受信するか否かアクセス端末１０４に知らせるためのクイックページングチャネル（Ｆ−ＱＰＣＨ）、の１つ以上に限定されるわけではないが、それらを含む制御チャネルをモニタし得る。Ｆ−ＰＣＨ（簡潔さのために本明細書ではＰＣＨと称す）上を運ばれるページングメッセージは、入ってくる（incoming）音声またはデータ呼出し、およびアクセス端末１０４に関するシステム情報および他の情報を運ぶ制御／オーバヘッドメッセージの発生を、アクセス端末１０４にアラートする（alert）メッセージを含み得る。
【００２６】
[0031]  アイドル状態で動作している時、特定の技術が利用されると、アクセス端末１０４は、スロッテッドモードまたは非スロッテッドモード（non-slotted mode）で動作し得る。非スロッテッドモードでは、アクセス端末１０４は、一般に、ページングチャネルを常時モニタするが、一方、スロッテッドモードでは、ページングメッセージは、指定された時間間隔で、ページングチャネル上でアクセス端末１０４へ送られ得る。したがって、ページングチャネルを絶え間なくモニタする代わりに、アクセス端末１０４は、スロッテッドモードでページングチャネルを定期的にモニタすることによって、電力を節約することができ、これは、当業者によって不連続受信モード（discontinuous reception）またはＤＲＸモードとも呼ばれ得る。スロッテッドアイドルモードでは、アクセス端末１０４は、既知の時間間隔で「スリープ」状態からウェイクアップ（wakes up）し、「覚醒（awake）」状態に入り、メッセージに関するページングチャネルおよび／またはクイックページングチャネルのような１つ以上のチャネルを処理する。追加的な通信が必要とされない場合、アクセス端末１０４は、次の指定された時間までずっとスリープ状態に戻っていることができる。例えば、アクセス端末１０４は、基地局のシステムタイミング情報を手に入れるために、ウェイクアップし得、そしてセルからパイロットチャネルおよび同期チャネルを取得することによってシステムを再取得し得る。
【００２７】
[0032]  本開示の様々な態様に従って、アクセス端末１０４は、ＩＳ‐９５モードまたはＩＳ‐２０００モードで動作し得る。しかしながら、本開示は、それらへ限定されない。ＩＳ‐９５スロッテッドモードでは、基地局は、ライトスロット（right slot）がページングチャネル上でモバイル特有ページ（mobile-specific page）を送るのを待つ。アクセス端末１０４は、ページがそれの割り当てられたスロットの間に到着することになるか否かアクセス端末１０４には不明なので、ウェイクアップして８０‐ｍｓスロット全体をモニタしなくてはならない。それゆえ、当技術では、アクセス端末は、スロット全体をモニタするためにバッテリ電力の相当な量を消耗し得る。
【００２８】
[0033]  ＩＳ‐２０００スロッテッドモードでは、ＩＳ‐９５スロッテッドモードについての上述の欠点に対処するために、クイックページングチャネル（Ｆ−ＱＰＣＨ）が導入される。Ｆ−ＱＰＣＨはなお８０ｍｓ続くが、アクセス端末１０４は、クイックページングチャネルスロットにおいて、８０ｍｓより短い、それの指定されたページングインジケータビットのみをモニタする。ページングインジケータの正確なポジションは、ハッシュアルゴリズムによって決定される。アクセス端末１０４は、アクセス端末に関する入ってくるメッセージがあるとページングインジケータが示すとき、ウェイクアップして、ページングチャネルスロットをモニタする。
【００２９】
[0034]  図３は、本開示の少なくとも１つの例に従って、アクセス端末１０４の選択コンポーネントを例示するブロック図を例示する。アクセス端末１０４は、通信インタフェース３０２および記憶媒体３０４を含む。これらのコンポーネントは、処理回路３０６との電気的な通信に、配置される（placed in）および／または結合されることができる。
【００３０】
[0035]  通信インタフェース３０２は、アクセス端末１０４のワイヤレス通信を容易にするように適合され得る。例えば、通信インタフェース３０２は、ネットワーク中の１つ以上の通信デバイスに関して双方向で情報の通信を容易にするように適合される電気回路および／またはプログラミングを含み得る。通信インタフェース３０２は、ワイヤレス通信システム内のワイヤレス通信のための１つ以上のアンテナ３０８に結合され得る。通信インタフェース３０２は、１つ以上のスタンドアロン受信機および／または送信機、ならびに１つ以上のトランシーバで構成されることができる。本開示のいくつかの態様では、受信機は、マルチパス信号を受信するように構成された１つ以上のレイク（rake）受信機を含み得る。
【００３１】
[0036]  ＣＤＭＡ通信では、マルチパス伝播（および場合によってはマルチプルの受信アンテナ）が原因で、マルチプルの相関受信機は、全てのパスおよび／またはアンテナからのエネルギをリカバーするために使用され得る。そのような相関受信機群は、「フィンガ（fingers）」と呼ばれ、通常レイク受信機と称される。図４は、例えば、通信インタフェース３０２において、アクセス端末１０４に含まれ得る、限定されない例としてのレイク受信機４００を例示するブロック図である。レイク受信機４００は、多数のフィンガ（４０２ａ、４０２ｂ．．．４０２ｎ）およびコンバイナ４０４を含む。フィンガの各々は、パイロット信号のマルチプルのパスコンポーネント（４０６ａ、４０６ｂ．．．４０６ｎ）の１つを、受信し、復調するように構成され得る。復調された信号（４０８ａ、４０８ｂ．．．４０８ｎ）は、信号品質を改善するために信号を結合するコンバイナ４０４へ提供される。
【００３２】
[0037]  記憶媒体３０４は、プロセッサ実行可能なコードまたは命令（例えば、ソフトウェア、ファームウェア）、電子データ、データベース、または他のデジタル情報のようなプログラミングを記憶するための、１つ以上のコンピュータ読み取り可能な、機械読取可能な、および／またはプロセッサ読み取り可能なデバイス、を表し得る。記憶媒体３０４は、プログラミングを実行する際に、処理回路３０６によって操作される（manipulated）データを記憶するためにも使用され得る。記憶媒体３０４は、ポータブルまたは固定記憶デバイス、光学記憶デバイス、およびプログラミングを記憶する、含む、または運ぶことができる、様々な他の媒体を含む、汎用または特殊目的プロセッサがアクセスすることができる、いかなる利用可能な媒体でもあり得る。限定ではなく例として、記憶媒体３０４は、磁気記憶デバイス（例えば、ハードディスク、フロッピー（登録商標）ディスク、磁気ストラップ）、光学記憶媒体（例えば、コンパクトディスク（ＣＤ）、デジタル多用途ディスク（ＤＶＤ））、スマートカード、フラッシュメモリデバイス（例えば、カード、スティック、キードライブ）、ランダムアクセスメモリ（ＲＡＭ）、読み取り専用メモリ（ＲＯＭ）、プログラマブルＲＯＭ（ＰＲＯＭ）、消去可能ＰＲＯＭ（ＥＰＲＯＭ）、電気的に消去可能ＰＲＯＭ（ＥＥＰＲＯＭ（登録商標））、レジスタ、リムーバブルディスク、および／またはプログラミングを記憶するための他の媒体、およびそれらの任意の組み合わせのような、コンピュータ読み取り可能な、機械読み取り可能なおよび／またはプロセッサ読み取り可能な記憶媒体を含み得る。
【００３３】
[0038]  記憶媒体３０４は、処理回路３０６が記憶媒体３０４から情報を読み取る、および記憶媒体３０４へ情報を書き込むことができるように、処理回路３０６に結合され得る。つまり、記憶媒体３０４は、少なくとも１つの記憶媒体が処理回路３０６に不可欠である（integral to）例、および／または少なくとも１つの記憶媒体が、処理回路３０６（例えば、アクセス端末１０４中に存在する、アクセス端末１０４の外部にある、マルチプルのエンティティに分配される）と分離される例を含め、記憶媒体３０４が、少なくとも処理回路３０６によってアクセス可能であるように、処理回路３０６に結合されることができる。
【００３４】
[0039]  記憶媒体３０４によって記憶されたプログラミングは、処理回路３０６によって実行されると、処理回路３０６に、本明細書で説明された様々な機能および／または処理ステップの１つ以上を実行させる。例えば、記憶媒体３０４は、以下でさらに詳細に説明するように、処理回路３０６の１つ以上のハードウェアブロックで動作を調整（regulating）するように、処理回路３０６の１つ以上のハードウェアブロックへの電力を調整するように、および／またはアイドルモードの時に一連の動作を調整するように適合されるアイドルモード動作３１０を含み得る。アイドルモード動作は、図２に描写されるプロトコルスタックアーキテクチャのいずれかの適切なレイヤで実現されるプログラミングを含み得る。
【００３５】
[0040]  処理回路３０６は、一般に記憶媒体３０４に記憶されたそのようなプログラミングの実行を含む処理のために適合される。本明細書で使用される場合、「プログラミング」という用語は、ソフトウェア、ファームウェア、ミドルウェア、マイクロコード、ハードウェア記述言語と呼ばれる場合も、そうでない場合も、命令、命令のセット、データ、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、ファンクション等に限定されることなく、それらを含むものと広く解釈されるべきである。
【００３６】
[0041]  処理回路３０６は、データを手に入れる、処理するおよび／または送り、データアクセスおよび記憶装置を制御し、コマンドを発行し、そして他の所望の動作を制御するように配列される。処理回路３０６は、少なくとも１つの例において、ふさわしい媒体によって提供される所望のプログラミングを実現するように構成される電気回路を含み得る。例えば、処理回路３０６は、１つ以上のプロセッサ、１つ以上のコントローラ、および／または実行可能なプログラミングを実行するように構成された他の構造として実現され得る。処理回路３０６の例は、汎用プロセッサ、デジタル信号プロセッサ（ＤＳＰ）、特定用途向け集積回路（ＡＳＩＣ）、フィールドプログラマブルゲートアレイ（ＦＰＧＡ）またはその他のプログラマブル論理コンポーネント、ディスクリートゲートまたはトランジスタ論理、ディスクリートハードウェアコンポーネント、あるいはここに説明される機能を実行するように設計されたこれらの任意の組み合わせを含み得る。汎用プロセッサは、マイクロプロセッサを含み得、任意の従来型のプロセッサ、コントローラ、マイクロコントローラ、またはステートマシンも含み得る。処理回路３０６は、また、ＤＳＰとマイクロプロセッサ、多数のマイクロプロセッサ、ＤＳＰコアと連携した１つまたは複数のマイクロプロセッサ、ＡＳＩＣおよびマイクロプロセッサ、あるいは任意の他のさまざまな構成との組み合わせのような、コンピューティングコンポーネントの組み合わせとしても実現され得る。処理回路３０６のこれらの例は、例示のためのものであり、本開示の範囲内の他の適切な構成も考慮されている。
【００３７】
[0042]  本開示の１つ以上の態様に従って、処理回路３０６は、本明細書で説明されたアクセス端末１０４の任意のものまたは全てに関する、特徴、プロセス、機能、ステップ、および／またはルーチンの任意のものまたは全てを実行するように適合され得る。本明細書で使用される場合、処理回路３０６に関する「適合される（adapted）」または「構成される（configured）」という用語は、処理回路３０６が、本明細書で説明された様々な特徴に従って、特定のプロセス、機能、ステップおよび／またはルーチンを実行するように構成される、用いられる、実現される、および／またはプログラムされることのうちの１つ以上を称し得る。
【００３８】
[0043]  スロッテッドモードは、様々な実現の詳細に従って様々な異なるプロシージャおよびプロトコルを含み得る。スロッテッドモードでは、アクセス端末１０４は、それに割り当てられたタイムスロットのサブセットのみをモニタする。スロッテッドモード再取得プロシージャの限定されない例が、図４に例示される。ここでは、アクセス端末１０４はスロッテッドアイドルモードで動作するので、１つ以上の一般ページメッセージ（ＧＰＭｓ）は、アクセス端末１０４が覚醒状態の間の各スロットの間に、アクセス端末１０４によって受信され得る。
【００３９】
[0044]  図５は、スロッテッドアイドルモードで動作する時、アクセス端末１０４によって実行される動作のいくつかのうちの少なくとも１つの例を描写するタイミング図を示す。アクセス端末１０４が送信をモニタすることおよび処理ことが予期される、予期される時間間隔より前の時間に、アクセス端末１０４は、５０２でウェイクアップし、５０４で１つ以上の受信機コンポーネント（例えば、通信インタフェース３０２の１つ以上の受信機コンポーネントおよび／または処理回路３０６の１つ以上のハードウェアブロック）をウォーミングアップすることを始める。ウォーミングアップ期間５０４の後で、受信機は、５０６で電源ＯＮにされることができ、そしてアクセス端末１０４は、５０８において基地局の再取得を実行し得る。この再取得５０８は、タイミング同期のようなファクタを決定するためにパイロット信号がそこで送信され、そしてマルチパスパイロット信号が最も強力になる、パイロットチャネル５０９を再取得するための時間期間、を含み得る。再取得５０８はさらに、時間およびフレーム同期を提供するために同期チャネル５１０を再取得するための時間期間を含み得る。この例では、再取得５０８の結果は、スロット期間の間に受信される送信を処理するために用いられることができる。
【００４０】
[0045]  ５１０において、スロットの始まりは、スロット境界におけるインジケータによって特定され得、アクセス端末１０４は、１つ以上の通信チャネル（例えば、ページングチャネル）における任意の受信された送信（例えば、任意の受信された一般ページメッセージ（ＧＰＭｓ））を受信および復調５１２する。復調５１２は、再取得５０８において最も強力なパスであると決定されたマルチパス信号の単一のパスに関するサンプルの収集を含み得る。シンボルは、シンボルを処理し、一般ページメッセージ（ＧＰＭ）５１３を手に入れるために、収集されたサンプルから抽出される。
【００４１】
[0046]  一般ページメッセージ（ＧＰＭ）が、受信アクセス端末１０４を対象としたページを含む場合、アクセス端末１０４は、任意の要求された動作をコンプリートするために、基地局１０２とさらに通信することができる。そうでなければ、アクセス端末１０４は、空の一般ページメッセージ（ＧＰＭ）が受信されるまで、全ての受信された一般ページメッセージ（ＧＰＭｓ）を復調する。上述のように、空の一般ページメッセージ（ＧＰＭ）は、アクセス端末１０４がスロッテッドアイドルモードのスリープ状態に戻ることができることを示すインジケータとしての役割を果たす。したがって、５１４において、アクセス端末１０４は、スリープ設定を開始し、アクセス端末１０４がスロッテッドアイドルモード５１６のスリープ状態に戻るようにさせることができる。最後に、５１８において、アクセス端末１０４はスリープ状態に戻り、次のスケジュールされたスロットまでスリープ状態にとどまり得る。
【００４２】
[0047]  ｃｄｍａ２０００ １ｘに関して、ページングチャネル復調パフォーマンスを改善するために、スリープウェイクアップのための再取得時間５０８は増加した。しかしながら、再取得時間を増加させることは、電力消費を増加させる。それゆえ、アクセス端末１０４の電力消費が緩和されるまたは低減されることができるように、ある特定の状況下でのみ再取得時間を増加させることが望まれ得る。
【００４３】
[0048]  このように、本開示の態様に従って、再取得時間４０８は、直近のウェイクアップサイクルの間に記録されたパイロット信号のパイロット信号品質（または他の信号特性またはメトリック）がある特定のしきい値を下回った場合、増加し得る。スロッテッドモードがクイックページングチャネルまたは同様のページングインジケータチャネルを利用する本開示のさらなる態様では、再取得時間５０８は、現在のウェイクアップサイクルの間にページングチャネル上でページメッセージを受信することをアクセス端末が試みようとしている場合にのみ、増加し得る。本開示では、パイロット信号品質または信号特性は、アクセス端末１０４で受信される、受信機における複数のフィンガにおける信号強度、総電力、パイロット電力、パイロット信号を受信するために割り当てられたフィンガの数、またはそれらの組み合わせ、のうちの少なくとも１つ以上に限定されるわけではないが、それらに対応する。
【００４４】
[0049]  例えば、図６は、本開示のいくつかの態様に従って再取得時間５０８を選択的に増加させるためのプロセスの１つの例を例示する流れ図である。例示されたプロシージャは、アクセス端末１０４で、または説明された機能を実現するための任意の適切な手段で、実現され得る。図６の例示されたプロセスは、スロッテッドモードでの２つの連続的なウェイクアップサイクルを示す。その例示では、ブロック６０２は、１つのウェイクアップサイクルを表し、ブロック６０４は、次のウェイクアップサイクルを表す。
【００４５】
[0050]  ステップ６０６において、アクセス端末は、ウェイクアップしてウェイクアップサイクルを始め得、そしてステップ６０８において、アクセス端末は、（例えば、記憶媒体３０４に記憶されているパイロット信号品質情報３１２のような）メモリ内のパイロット信号の信号特性に対応する値を、検出（または取得）および記憶し得る。記憶された値は、パイロット信号の信号強度のインジケーションである。例えば、信号特性は、ウェイクアップサイクル６０２の間に決定されたパイロット電力対総電力の比であり得る。１つの例では、信号特性は、様々な目的のためにワイヤレス通信システムで通常利用されるＥｃ／Ｉｏ値であり得る。しかしながら、信号特性は、パイロット信号の信号品質を示すことができる他の適切な値であり得る。様々な例において、ステップ６０８で検出されるおよび記憶されることになるＥｃ／Ｉｏ値は、アクセス端末のレイク受信機における単一のフィンガに対応する値であり得、またはいくつかの例において、ステップ６０８で検出されるおよび記憶されることになるＥｃ／Ｉｏ値は、アクセス端末のレイク受信機における複数のフィンガ、例えば、全ての割り当てられたフィンガ、に対応する値の合計であり得る。
【００４６】
[0051]  図６を参照しつつ、ステップ６１０において、アクセス端末１０４は、アクセス端末１０４の覚醒状態の間に適切なプロシージャを実行し得る。例えば、アクセス端末１０４は、Ｆ−ＰＣＨ、Ｆ−ＱＰＣＨ、Ｆ−ＣＣＣＨ、またはＦ‐ＢＣＣＨ上で送られるメッセージをモニタし得る。加えて、アクセス端末１０４は、呼出しを始めること、ユーザメッセージを送信すること、および登録を実行することのような、他の機能も実行し得る。ステップ６１２において、アクセス端末１０４は、スリープに戻り得る。例えば、処理回路３０６（図３）は、アクセス端末１０４がスリープモードまたは電力を落とした状態からウェイクアップするように、記憶媒体３０４からの命令を実行する。ステップ６１４において、アクセス端末は、例えば、適切なスリープ存続期間を待つことによって、次のウェイクアップサイクルへ向かい得る。ステップ６１０の間、アクセス端末は、次のスロット（例えば、ブロック６０４）の間に、アクセス端末１０４がページングチャネルからページメッセージを受信することを試みることになるかどうか決定するために、例えば、クイックページングチャネルへアクセスし得る。
【００４７】
[0052]  ステップ６１６において、アクセス端末１０４は、ウェイクアップして第２のウェイクアップサイクル６０４を始め得る。ステップ６１８では、アクセス端末は、ステップ６０８で（すなわち、直近のウェイクアップサイクル６０２の間に）記録されたパイロット信号品質がある特定のしきい値を下回ったかどうか決定し得る。例えば、アクセス端末１０４は、Ｅｃ／Ｉｏの記憶された値が、−１２ｄＢまたは他の適切な値のような所定のしきい値を下回ったかどうか決定し得る。パイロット信号品質に関するこのしきい値を利用することによって、再取得時間は、アクセス端末１０４が非常に低いジオメトリ（geometry）にない限り、または時間分散チャネル（time-dispersive channels）にない限り、一般に増加することはないであろうし、この場合、パフォーマンスはより短い再取得時間を経験する可能性がある。ステップ６１８におけるプロセスが、記憶されたパイロット信号品質がしきい値以上であると決定すると、次にプロセスは、ステップ６２０へ進み得、ここで再取得時間は増加せず、例えば、標準のまたは従来型の再取得時間が使用され得る。
【００４８】
[0053]  他方では、Ｅｃ／Ｉｏ値がしきい値に満たない場合、次にプロセスはステップ６２２へ進み得、ここでアクセス端末は、このウェイクアップサイクルの間にページングチャネル（ＰＣＨ）を復号することを試みるかどうかを決定し得る。これはつまり、クイックページングチャネル（ＱＰＣＨ）または他の同様のページングインジケータチャネルを利用するＩＳ‐２０００標準に従うようないくつかのネットワークでは、アクセス端末１０４はただ、それが先のウェイクアップサイクル６０２の間にＱＰＣＨ上で適切な情報を検出する時、ウェイクアップサイクル６０４の間にＰＣＨを復号することを試み得、そうでなければ、アクセス端末１０４は、そのアクセス端末を対象としたページメッセージはそのＰＣＨに含まれないであろう、ということを知る。しかしながら、ＱＰＣＨまたは他の同様のページングインジケータチャネルを利用しないＩＳ‐９５標準に従うようないくつかのネットワークでは、アクセス端末１０４は、一般にＱＰＣＨを検出する予備のステップをスキップして、各ウェイクアップサイクルの間にＰＣＨへそのまま進む。そのようなネットワークでは、ステップ６２２は利用され得ず、そしてこの状況が真であると推定され得る。
【００４９】
[0054]  このように、アクセス端末１０４が、現在のウェイクアップサイクル６０４の間にＰＣＨを受信することを試みることになる場合、次に、プロセスはステップ６２０へ進み得、この場合再取得時間は増加しない。他方では、アクセス端末１０４が現在のウェイクアップサイクル６０４中にＰＣＨを受信することを試みることになる場合、次にプロセスはステップ６２４へ進み得、この場合アクセス端末１０４は、再取得時間を増加し得る。続いて、プロセスは、システムを再取得する（例えば、パイロット信号および他の同期情報を取得する）ために、ステップ６３０へ進み得る。図６を参照して説明された、様々なステップ、機能、またはプロセスは、機械読み取り可能な、コンピュータ読み取り可能な、および／またはプロセッサ読み取り可能な記憶媒体（例えば、記憶媒体３０４）に記憶され得るプログラミング（例えば、命令および／またはデータ）によって部分的にまたは完全に実現され得、１つ以上のプロセッサ（例えば、処理回路３０６）、機械および／またはデバイスによって実行されることに留意されたい。
【００５０】
[0055]  本開示の様々な態様において、再取得時間の増加の任意の適切な持続時間が利用され得る。ある例では、再取得時間は、パイロット信号取得時間を含み、そしてステップ６２４において、パイロット信号取得時間は、増加し得る。
【００５１】
[0056]  上で説明した態様、配列、実施形態は、具体的な詳細および特性と共に説明されるが、図１−図６に例示されるコンポーネント、ステップ、特徴および／または機能の１つ以上は、単一のコンポーネント、ステップ、特徴または機能へ組み合わされるおよび／または再配置される得か、またはいくつかのコンポーネント、ステップ、または機能に組み込まれ得る。追加的なエレメント、コンポーネント、ステップ、および／または機能もまた、本発明から逸脱することなく追加され得る、または、利用されないこともある。図１、図３、および／または図４に例示された装置、デバイスおよび／またはコンポーネントは、図５および／または図６に説明された方法、特徴、パラメータ、またはステップの１つ以上を実行または用いるように構成され得る。本明細書で説明された新規なアルゴリズムもまた、ソフトウェアで効率的に実現され得る、および／またはハードウェアに組み込まれ得る、またはそれらの組み合わせであり得る。
【００５２】
[0057]  また、少なくともいくつかの実現が、流れ図、フローダイアグラム、構造図、またはブロック図として描写されるプロセスとして説明されていることに留意されたい。流れ図は、動作を連続的なプロセスとして説明し得るが、動作の多くは、並列してまたは同時に実行されることができる。加えて、動作の順序は並べ換えられ得る。プロセスは、その動作が完了すると終了する。プロセスは、方法、機能、プロシージャ、サブルーチン、サブプログラム等に対応し得る。プロセスが機能に対応するとき、その終了は、呼び出し機能または主要機能に機能が戻ることに対応する。本明細書で説明される様々な方法は、機械読み取り可能な、コンピュータ読み取り可能な、および／またはプロセッサ読み取り可能な記憶媒体に記憶され得るプログラミング（例えば、命令および／またはデータ）によって部分的にまたは完全に実現され得、１つ以上のプロセッサ、機械および／またはデバイスによって実行され得る。
【００５３】
[0058]  当業者は、本明細書に開示された実施形態に関連して説明された様々な例示的な論理ブロック、モジュール、回路、およびアルゴリズムステップが、ハードウェア、ソフトウェア、ファームウェア、ミドルウェア、マイクロコードまたはそれらの任意の組み合わせとして実現され得ることを更に認識するであろう。この互換性を明確に示すために、様々な例示的なコンポーネント、ブロック、モジュール、回路、およびステップが、一般にそれらの機能性の観点から上で説明されている。そのような機能性が、ハードウェアとして実現されるかソフトウェアとして実現されるかは、特定のアプリケーションおよびシステム全体に課せられる設計制約に依存する。
【００５４】
[0059]  本明細書に説明された、および添付の図面に示された例に関連する様々な特徴は、本開示の範囲から逸脱することなく、異なる例および実現で実現されることができる。それゆえ、ある特定の具体的な構造および配置が、説明されているおよび添付の図面に示されているが、本明細書に説明された実施形態への様々な他の追加および修正、ならびに、そこからの削除は、当業者には明白であるだろうから、そのような実施形態は単なる例示であって、本開示の範囲を限定するものではない。従って、本開示の範囲は、以下の特許請求の範囲の、リテラルな言葉および法的な同等物によってのみ決定される。
以下に本願出願当初の特許請求の範囲を付記する。
[Ｃ１]  ワイヤレスネットワーク中でアクセス端末の電力消費を制御するための方法であって、
スロッテッドアイドルモードの覚醒状態に入ることと、
先の覚醒状態における第１のセルからのパイロット信号の信号特性の決定に応答して、前記第１のセルから前記パイロット信号を取得するための再取得時間を調整することと、
前記パイロット信号を取得することと、
を備える、方法。
[Ｃ２]  前記再取得時間を前記調整することは、前記先の覚醒状態で決定された前記信号特性に従って前記再取得時間を増加させることを備える、
Ｃ１に記載の方法。
[Ｃ３]  前記信号特性は、前記アクセス端末の受信機における複数のフィンガにおける信号強度、総電力、パイロット電力、前記パイロット信号を受信するために割り当てられた前記フィンガの数、またはそれらの組み合わせ、のうちの少なくとも１つ以上に対応し、
前記再取得時間を前記調整することは、前記信号特性の値が所定のしきい値を下回る場合、前記再取得時間を増加させることを備える、
Ｃ１に記載の方法。
[Ｃ４]  前記信号特性は、前記先の覚醒状態の間に決定された、前記第１のセルに対応するパイロット電力対総電力の比を備える、Ｃ３に記載の方法。
[Ｃ５]  前記信号特性は、前記先の覚醒状態の間に決定されたＥｃ／Ｉｏ値を備え、ここで、Ｅｃはパイロット電力であり、Ｉｏは総電力である、
Ｃ３に記載の方法。
[Ｃ６]  前記Ｅｃ／Ｉｏ値は、前記アクセス端末の前記受信機における少なくとも１つのフィンガに対応する値である、Ｃ５に記載の方法。
[Ｃ７]  前記Ｅｃ／Ｉｏ値は、前記アクセス端末の前記受信機における前記複数のフィンガに対応する値の合計である、Ｃ５に記載の方法。
[Ｃ８]  前記所定のしきい値は、約−１２  ｄＢである、Ｃ５に記載の方法。
[Ｃ９]  前記信号特性は、前記パイロット信号の信号強度に対応し、
前記再取得時間を前記調整することは、前記信号強度が所定のしきい値を下回り、および前記アクセス端末が、前記先の覚醒状態において基地局から受信されたインジケーションに従って現在の覚醒状態の間に通信チャネル上でメッセージを受信するように構成される場合、前記再取得時間を増加させることを備える、
Ｃ１に記載の方法。
[Ｃ１０]  前記通信チャネルは、ページングチャネルであり、前記メッセージは、ページメッセージである、Ｃ９に記載の方法。
[Ｃ１１]  前記アクセス端末が、前記現在の覚醒状態の間に前記メッセージを受信するように構成されるか否か決定するために、前記先の覚醒状態の間にクイックページングチャネルを利用することをさらに備える、
Ｃ９に記載の方法。
[Ｃ１２]  前記再取得時間は、パイロットチャネル取得時間を備え、
前記再取得時間を前記調整することは、前記信号特性に従って前記パイロットチャネル取得時間を増加させることを備える、
Ｃ１に記載の方法。
[Ｃ１３]  ワイヤレスネットワークにおける動作のために構成されたアクセス端末であって、
通信インタフェースと、
記憶媒体と、
前記通信インタフェースおよび前記記憶媒体に動作可能なように結合された処理回路と、を備え、ここで、前記処理回路は、
スロッテッドアイドルモードの覚醒状態に入るようにと、
先の覚醒状態における第１のセルからのパイロット信号の信号特性の決定に応答して、前記第１のセルから前記パイロット信号を取得するための再取得時間を調整するようにと、
前記パイロット信号を取得するように前記通信インタフェースを動作させるように、構成される、
アクセス端末。
[Ｃ１４]  前記処理回路は、前記先の覚醒状態で決定された前記信号特性に従って前記再取得時間を増加させるように構成される、
Ｃ１３に記載のアクセス端末。
[Ｃ１５]  前記信号特性は、前記アクセス端末の受信機における複数のフィンガにおける信号強度、総電力、パイロット電力、前記パイロット信号を受信するために割り当てられた前記フィンガの数、またはそれらの組み合わせ、のうちの少なくとも１つ以上に対応し、
前記処理回路は、前記強度が所定のしきい値を下回る場合、前記再取得時間を増加させるように構成される、
Ｃ１３に記載のアクセス端末。
[Ｃ１６]  前記信号特性は、前記先の覚醒状態の間に決定された、前記第１のセルに対応するパイロット電力対総電力の比を備える、Ｃ１５に記載のアクセス端末。
[Ｃ１７]  前記信号特性は、前記先の覚醒状態の間に決定されたＥｃ／Ｉｏ値を備え、ここで、Ｅｃはパイロット電力であり、Ｉｏは総電力である、
Ｃ１５に記載のアクセス端末。
[Ｃ１８]  前記Ｅｃ／Ｉｏ値は、前記通信インタフェースに含まれる受信機における少なくとも１つのフィンガに対応する値である、Ｃ１７に記載のアクセス端末。
[Ｃ１９]  前記Ｅｃ／Ｉｏ値は、前記通信インタフェースに含まれる受信機における複数のフィンガに対応する値の合計である、Ｃ１７に記載のアクセス端末。
[Ｃ２０]  前記所定のしきい値は、約−１２  ｄＢである、Ｃ１７に記載のアクセス端末。
[Ｃ２１]  前記信号特性は、前記パイロット信号の信号強度に対応し、
前記処理回路は、前記信号強度が所定のしきい値を下回り、および前記アクセス端末が、前記先の覚醒において基地局から受信されたインジケーションに従って現在の覚醒状態の間に通信チャネル上でメッセージを受信するように構成される場合、前記再取得時間を増加させるように構成される、
Ｃ１３に記載のアクセス端末。
[Ｃ２２]  前記通信チャネルは、ページングチャネルであり、前記メッセージは、ページメッセージである、Ｃ２１に記載のアクセス端末。
[Ｃ２３]  前記処理回路は、前記アクセス端末が、前記現在の覚醒状態の間に前記メッセージを受信するように構成されるか否か決定するために、前記先の覚醒状態の間にクイックページングチャネルを利用するようにさらに構成される、
Ｃ２１に記載のアクセス端末。
[Ｃ２４]  前記再取得時間は、パイロットチャネル取得時間を備え、
前記処理回路は、前記信号特性に従って前記パイロットチャネル取得時間を増加させるようにさらに構成される、
Ｃ１３に記載のアクセス端末。
[Ｃ２５]  ワイヤレスネットワークにおける動作のために構成されたアクセス端末に、
スロッテッドアイドルモードの覚醒状態に入ることと、
先の覚醒状態における第１のセルからのパイロット信号の信号特性の決定に応答して、前記第１のセルから前記パイロット信号を取得するための再取得時間を調整することと、
前記パイロット信号を取得することと、
を、させるための命令を備える、コンピュータ読み取り可能な記憶媒体を備える、コンピュータプログラム製品。
[Ｃ２６]  前記アクセス端末は、前記先の覚醒状態で決定された前記信号特性に従って前記再取得時間を増加させるように構成される、
Ｃ２５に記載のコンピュータプログラム製品。
[Ｃ２７]  前記信号特性は、前記アクセス端末の受信機における複数のフィンガにおける信号強度、総電力、パイロット電力、前記パイロット信号を受信するために割り当てられた前記フィンガの数、またはそれらの組み合わせ、のうちの少なくとも１つ以上に対応し、
前記アクセス端末は、前記信号特性の値が所定のしきい値を下回る場合、前記再取得時間を増加させるように構成される、
Ｃ２５に記載のコンピュータプログラム製品。
[Ｃ２８]  前記信号特性は、前記先の覚醒状態の間に決定された、前記第１のセルに対応するパイロット電力対総電力の比を備える、Ｃ２７に記載のコンピュータプログラム製品。
[Ｃ２９]  前記信号特性は、前記先の覚醒状態の間に決定されたＥｃ／Ｉｏ値を備え、ここで、Ｅｃはパイロット電力であり、Ｉｏは総電力である、
Ｃ２７に記載のコンピュータプログラム製品。
[Ｃ３０]  前記Ｅｃ／Ｉｏ値は、前記アクセス端末の受信機における少なくとも１つのフィンガに対応する値である、Ｃ２９に記載のコンピュータプログラム製品。
[Ｃ３１]  前記Ｅｃ／Ｉｏ値は、前記アクセス端末の受信機における複数のフィンガに対応する値の合計である、Ｃ２９に記載のコンピュータプログラム製品。
[Ｃ３２]  前記所定のしきい値は、約−１２  ｄＢである、Ｃ２９に記載のコンピュータプログラム製品。
[Ｃ３３]  前記信号特性は、前記パイロット信号の信号強度に対応し、
前記アクセス端末は、前記信号強度が所定のしきい値を下回り、および前記アクセス端末が、前記先の覚醒状態において基地局から受信されたインジケーションに従って現在の覚醒状態の間に通信チャネル上でメッセージを受信するように構成される場合、前記再取得時間を増加させるように構成される、
Ｃ２５に記載のコンピュータプログラム製品。
[Ｃ３４]  前記通信チャネルは、ページングチャネルであり、前記メッセージは、ページメッセージである、Ｃ３３に記載のコンピュータプログラム製品。
[Ｃ３５]  前記アクセス端末は、前記アクセス端末が、前記現在の覚醒状態の間に前記メッセージを受信するように構成されるか否か決定するために、前記先の覚醒状態の間にクイックページングチャネルを利用するようにさらに構成される、
Ｃ３３に記載のコンピュータプログラム製品。
[Ｃ３６]  前記再取得時間は、パイロットチャネル取得時間を備え、
前記アクセス端末は、前記信号特性に従って前記パイロットチャネル取得時間を増加させるようにさらに構成される、
Ｃ２５に記載のコンピュータプログラム製品。
[Ｃ３７]  ワイヤレスネットワークにおける動作のために構成されたアクセス端末あって、
スロッテッドアイドルモードの覚醒状態に入るための手段と、
先の覚醒状態における第１のセルからのパイロット信号の信号特性の決定に応答して、前記第１のセルから前記パイロット信号を取得するための再取得時間を調整するための手段と、
前記パイロット信号を取得するための手段と、
を備える、アクセス端末。
[Ｃ３８]  前記再取得時間を前記調整することは、前記信号特性に従って前記再取得時間を増加させることを備える、
Ｃ３７に記載のアクセス端末。
[Ｃ３９]  前記信号特性は、前記アクセス端末の受信機における複数のフィンガにおける信号強度、総電力、パイロット電力、前記パイロット信号を受信するために割り当てられた前記フィンガの数、またはそれらの組み合わせ、のうちの少なくとも１つ以上に対応し、
前記再取得時間を前記調整することは、前記信号特性の値が所定のしきい値を下回る場合、前記再取得時間を増加させることを備える、
Ｃ３７に記載のアクセス端末。
[Ｃ４０]  前記信号特性は、前記先の覚醒状態の間に決定された、前記第１のセルに対応するパイロット電力対総電力の比を備える、Ｃ３９に記載のアクセス端末。
[Ｃ４１]  前記信号特性は、前記先の覚醒状態の間に決定されたＥｃ／Ｉｏ値を備え、ここで、Ｅｃはパイロット電力であり、Ｉｏは総電力である、
Ｃ３９に記載のアクセス端末。
[Ｃ４２]  前記Ｅｃ／Ｉｏ値は、前記アクセス端末の前記受信機における少なくとも１つのフィンガに対応する値である、Ｃ４１に記載のアクセス端末。
[Ｃ４３]  前記Ｅｃ／Ｉｏ値は、前記アクセス端末の受信機における複数のフィンガに対応する値の合計である、Ｃ４１に記載のアクセス端末。
[Ｃ４４]  前記所定のしきい値は、約−１２  ｄＢである、Ｃ４１に記載のアクセス端末。
[Ｃ４５]  前記信号特性は、前記パイロット信号の信号強度に対応し、
前記再取得時間を前記調整することは、前記信号強度が所定のしきい値を下回り、および前記アクセス端末が、前記先の覚醒状態において基地局から受信されたインジケーションに従って現在の覚醒状態の間に通信チャネル上でメッセージを受信するように構成される場合、前記再取得時間を増加させることを備える、
Ｃ３７に記載のアクセス端末。
[Ｃ４６]  前記通信チャネルは、ページングチャネルであり、前記メッセージは、ページメッセージである、Ｃ４５に記載のアクセス端末。
[Ｃ４７]  前記アクセス端末が、前記現在の覚醒状態の間に前記メッセージを受信するように構成されるか否か決定するために、前記先の覚醒状態の間にクイックページングチャネルを利用するための手段をさらに備える、
Ｃ４５に記載のアクセス端末。
[Ｃ４８]  前記再取得時間は、パイロットチャネル取得時間を備え、
前記再取得時間を前記調整することは、前記信号特性に従って前記パイロットチャネル取得時間を増加させることを備える、
Ｃ３７に記載のアクセス端末。
【図１】
0005823652.tif 000002
【図２】
0005823652.tif 000003
【図３】
0005823652.tif 000004
【図４】
0005823652.tif 000005
【図５】
0005823652.tif 000006
【図６】
0005823652.tif 000007